(57)【要約】【課題】本発明は、測長装置に関し、この測長装置が中空形材１を備え、この中空形材の内側空間内において、スケール２が設けられている。【解決手段】この中空形材１のスリット１１は、密閉材３を用いて密閉されている。一方では、このスリーブ４がこの密閉材３に固定されており、且つ、他方では、このスリーブ４がストッパー部４１を介してこの中空形材１に支持されていることによって、この密閉材３は、このスリーブ４を用いて、端部側で、この中空形材１に固定されている。【選択図】      図２
2018044953.tif 000002
【特許請求の範囲】
【請求項１】
測長装置であって、
この測長装置が中空形材（１）を備え、
この中空形材の内側空間内において、スケール（２）が設けられており、且つ、前記中空形材が、前記スケール（２）に沿って延在するスリット（１１）を有しており、位置測定の際に、このスリットを通って、前記スケール（２）を走査する走査ユニットの連行体が貫通差込みし、
前記スリット（１１）が、前記中空形材（１）に沿って延在する、弾性的な密閉材（３）を用いて密閉されており、
前記密閉材（３）の少なくとも１つの端部において、スリーブ（４）が、引張りに強い状態で固定され、且つ、前記スリーブ（４）が、前記中空形材（１）の長手方向（＋Ｘ）に作用する、軸線方向のストッパー部（４１）を有しており、このストッパー部でもって、前記スリーブ（４）が、前記中空形材（１）に、軸線方向に支持されていることを特徴とする測長装置。
【請求項２】
前記密閉材（３）の両方の端部において前記スリーブ４の内のそれぞれ１つの前記スリーブ（４）が引張りに強い状態で固定され、且つ、前記スリーブ（４）の前記ストッパー部（４１）がそれぞれに端部側で前記中空形材（１）に軸線方向に支持されていることによって、
前記密閉材（３）は、前記中空形材（１）に沿って伸長された状態で設けられていることを特徴とする請求項１に記載の測長装置。
【請求項３】
前記スリーブ（４）は、少なくとも１つの、内方に向いた突出部（４２）を有しており、前記突出部が、前記密閉材（３）内へと食い込んでおり、且つ、従って、前記密閉材（３）との、前記スリーブ（４）の引張りに強い結合を形成することを特徴とする請求項１または２に記載の測長装置。
【請求項４】
少なくとも１つの前記突出部（４２）は、長手方向（＋Ｘ）に延在する第１の形状部（４２１）、および、反対方向（−Ｘ）に向いた第２の形状部（４２２）を有しており、
前記第１の形状部（４２１）が、傾斜部を形成しており、この傾斜部が、前記スリーブ（４）を、前記長手方向（＋Ｘ）に、前記密閉材（３）の上へ位置移動することを可能にし、且つ、
前記第２の形状部（４２２）が、抵抗部を形成しており、この抵抗部が、前記スリーブ（４）を、前記密閉材（３）に対して、前記反対方向（−Ｘ）に位置移動することを防止し、且つ、
前記突出部（４２）が、このことによって、前記密閉材（３）と前記スリーブ（４）との間の、引張りに強い結合を形成することを特徴とする請求項３に記載の測長装置。
【請求項５】
前記スリーブ（４）は、前記長手方向（＋Ｘ）に相互に離間し且つそれぞれに内方に向いた複数の突出部（４２）を有し、これら突出部が、前記密閉材（３）内へと食い込むことを特徴とする請求項３または４に記載の測長装置。
【請求項６】
前記スリーブ（４）は、スリット（４５）を有しており、および、前記密閉材（３）が、長手方向に延在する隆起部（３１）、および、この隆起部に附設して形成されたリップ状部（３２）を有する、密閉唇状シールリップであり、
前記スリーブ（４）が前記隆起部（３１）を取り囲み、且つ、前記リップ状部（３２）が前記スリーブ（４）の前記スリット（４５）を通って前記中空形材（１）の前記スリット（１１）内へと突出することを特徴とする請求項１から５のいずれか一つに記載の測長装置。
【請求項７】
前記スリーブ（４）は、前記中空形材（１）の長手方向に沿って延在する溝部（１２）または穿孔部内において設けられていることを特徴とする請求項１から６のいずれか一つに記載の測長装置。
【請求項８】
前記シールリップの前記隆起部（３１）は、前記スリーブ（４）を、
前記スリーブがこのスリーブの外周を介して、弾性的にばね作用を行うように前記溝部（１２）の内側面に押し付けられる程に、
半径方向に予緊張することを特徴とする請求項６または７に記載の測長装置。
【請求項９】
前記スリーブ（４）の前記ストッパー部（４１）は、前記スリーブ（４）の、半径方向に外方に向いたカラー部であることを特徴とする請求項７または８に記載の測長装置。
【請求項１０】
測長装置の組み付けのための方法であって、この方法が、以下の方法のステップ、即ち；
−中空形材（１）の提供、この中空形材が、長手方向に延在するスリット（１１）を有しており、位置測定の際に、このスリットを通って、前記中空形材内において設けられたスケール（２）を走査する走査ユニットの連行体が貫通差込みする；
−性的な密閉材（３）の提供、この密閉材（３）でもって、前記スリット（１１）が密閉される；
−前記密閉材（３）の少なくとも１つの端部における、前記スリーブ（４）の引張りに強い固定、このスリーブ（４）が、前記中空形材（１）の長手方向（＋Ｘ）に作用する軸線方向のストッパー部（４１）を有している；
−続いての、前記スリーブ（４）の前記ストッパー部（４１）が前記中空形材（１）に軸線方向に支持する様式での、この中空形材（１）におけるこのスリーブ（４）の位置決め；
の方法のステップを備えていることを特徴とする方法。
【請求項１１】
前記中空形材（１）における前記スリーブ（４）の位置決めは、この中空形材（１）の端部側の端面から、この中空形材（１）の長手方向に延在する前記溝部（１２）または前記穿孔部内への、このスリーブ（４）の挿入によって行われることを特徴とする請求項１０に記載の方法。
【請求項１２】
前記スリーブ（４）は、少なくとも１つの内方に向いた突出部（４２）を有しており、
前記突出部が、長手方向（＋Ｘ）に延在する第１の形状部（４２１）、および、反対方向（−Ｘ）に向いた第２の形状部（４２２）を有しており、
前記第１の形状部（４２１）が、傾斜部を形成しており、この傾斜部が、前記スリーブ（４）を、前記密閉材（３）の上へ、位置移動することを可能にし、且つ、前記第２の形状部（４２２）が、抵抗部を形成しており、この抵抗部が、前記スリーブ（４）を、前記密閉材（３）に対して、前記反対方向（−Ｘ）に位置移動することを防止し、
前記密閉材（３）と前記スリーブ（４）との間の、引張りに強い結合が、長手方向（＋Ｘ）への前記密閉材（３）の上への前記スリーブ（４）の押し込みの方法のステップによって行なわれ、且つ、その際、前記突出部（４２）が前記密閉材（３）内へと食い込むことを特徴とする請求項１０または１１に記載の方法。
【発明の詳細な説明】
【技術分野】
【０００１】
本発明は、請求項１の上位概念の特徴に従う測長装置、および、請求項１０に従う、この測長装置の組み付けのための方法に関する。
【背景技術】
【０００２】
特許文献１は、冒頭に記載した様式の測長装置を開示している。この測長装置は、中空形材を備え、この中空形材の内側空間内において、スケールが、長手方向に延在して設けられている。このスケールは、測定作動状態において、走査ユニットによって走査され、この走査ユニットが、連行体を介して、測定されるべき対象物に固定されている。この連行体は、密閉材を通って差し込んでおり、この密閉材でもって、中空形材の、長手方向に延在する開口部が密閉されている。この密閉材は、長手方向に伸長された状態で、この中空形材に固定されている。この密閉材の固定は、ねじと締付け薄板とを用いての締付けによって行われる。
【０００３】
従来技術に従うこの構造において、ねじのために、中空形材内において、横方向穿孔が形成されるべきであること、および、この横方向穿孔によって、および、このねじでもって不安定に押し潰される密閉材によって、中空形材内において非密閉性が生じることの危険が存在することは、欠点である。
【先行技術文献】
【特許文献】
【０００４】
【特許文献１】ドイツ連邦共和国特許出願公開第３４  ０２  ６１３  Ｃ１号明細書
【発明の概要】
【発明が解決しようとする課題】
【０００５】
本発明の根底をなす課題は、測長装置を提案することであり、この測長装置の場合、中空形材の密閉作用が簡略化され、且つ、改良されている。
【課題を解決するための手段】
【０００６】
この課題は、本発明に従い、請求項１の特徴を有する測長装置によって解決される。
【発明の効果】
【０００７】
本発明に従い形成された測長装置は、中空形材を備え、この中空形材の内側空間内において、スケールが設けられており、且つ、前記中空形材が、前記スケールに沿って延在するスリットを有しており、位置測定の際に、このスリットを通って、前記スケールを走査する走査ユニットの連行体が貫通差込みする（ｈｉｎｄｕｒｃｈｇｒｅｉｆｔ）。このスリットは、前記中空形材に沿って延在する、弾性的な密閉材を用いて密閉されている。
前記密閉材の少なくとも１つの端部において、スリーブは、引張りに強い状態で（ｚｕｇｆｅｓｔ）固定され、且つ、前記スリーブが、前記中空形材の長手方向に作用する、軸線方向のストッパー部を有しており、このストッパー部でもって、前記スリーブが、前記中空形材に、軸線方向に支持されている。
【０００８】
この支持は、端部側で、中空形材に、即ち、有利には、直接的に、この中空形材の端面において、または、選択的に、この中空形材の端部の領域内における長手方向位置において行われる。
【０００９】
引張りに強い状態で固定されるということは、その際、スリーブが、形状的に係合して、及び／または、摩擦結合的に、長手方向の内の少なくとも１つの長手方向に位置移動不能に、密閉材と結合されていることを意味する。
【００１０】
中空形材における、スリーブの端部側で支持は、密閉材が、中空形材に沿って、緊張された状態、もしくは、伸長された状態で組み付けられ得るように行われる。この目的のために、このスリーブの軸線方向のストッパー部は、中空形材の方向に向いている（ｗｅｉｓｔ）。このストッパー部は、従って、このスリーブの軸線方向の位置移動を防止し、且つ、このことによって、同様に、密閉材を、端部側で、この中空形材に保持する。
【００１１】
密閉材の両方の端部においてスリーブの内のそれぞれ１つのスリーブが引張りに強い状態で固定され、且つ、スリーブのストッパー部がそれぞれに端部側で中空形材に支持されていることによって、この密閉材が、前記中空形材に沿って、この中空形材に設けられている場合、特に有利である。
この構成によって、密閉材は、必要のある場合には、長手方向に伸長された状態で、即ち、中空形材に沿って伸長された状態で組み付けられ得る。この伸長は、例えば、伸長されていない状態におけるこの密閉材の長さの１％から３％の値である。
【００１２】
密閉材が、専ら、中空形材の両方の端部、もしくは、端部領域だけにおいて、スリーブを用いて固定され、且つ、この密閉材が、これら両方の端部の間の残りの領域内において、中空形材の溝部内において延在する場合、有利である。
組み付けの際に、この密閉材は、中空形材の端面から、この溝部内へとはめ込まれる。
【００１３】
スリーブと密閉材との間の形状的に係合する結合を用いての、引張りに強い結合が実現される際に、このスリーブが、少なくとも１つの、内方に向いた突出部を有しており、この突出部が、この密閉材内へと食い込んでいる場合、有利である。
【００１４】
形状的に係合する結合は、少なくとも１つの突出部が、一方の長手方向（＋Ｘ）に延在する第１の形状部、および、反対方向（−Ｘ）に向いた第２の形状部を有している場合、特に有利に形成され得る。
第１の形状部は、１つの様式として、傾斜部を形成しており、この傾斜部が、スリーブを、この一方の長手方向（＋Ｘ）に、密閉材の上へ（ａｕｆ  ｄｉｅ  Ｄｉｃｈｔｕｎｇ）位置移動することを可能にし、且つ、第２の形状部が、抵抗部を形成しており、この抵抗部が、スリーブを、密閉材に対して、この一方の長手方向とは逆に、即ち、反対方向（−Ｘ）に位置移動することを防止し、もしくは、少なくとも困難にする。
【００１５】
形状的に係合する結合の改良のために、スリーブが、長手方向に相互に離間し且つそれぞれに内方に向いた複数の突出部を有していることは可能である。
【００１６】
多くの場合に、中空形材のスリットは、いわゆる屋根形状に設けられた密閉材を用いて密閉される。その際、このスリットの両側で、それぞれに、シールリップが、中空形材の溝部内において設けられている。このシールリップは、長手方向に延在する隆起部、および、この隆起部に附設して形成された（ａｎｇｅｆｏｒｍｔｅ）リップ状部を有している。この隆起部は、中空形材の溝部内において収納されており、且つ、リップ状部が、中空形材のスリット内へと突出し、且つ、このスリットを少なくとも部分的に密閉する。
この様式のシールリップの形状における、密閉材の固定のために、スリーブは、スリットを有しており、その際、このスリーブが隆起部を取り囲み、且つ、リップ状部がこのスリーブのスリットを通って中空形材のスリット内へと突出する。このスリーブは、その際、端面側で、中空形材の長手方向に沿って延在する溝部内に装入される。
必要のある場合には、この溝部は、この目的のために、中空形材の端部側で、このスリーブに適合された、その領域内においてシールリップがただ隆起部だけでもって溝部内において設けられている、該領域内におけるよりも大きな断面積を有している。中空形材の端部側で、溝部の代わりに、同様に、長手方向に延在する、端面側に収納された穿孔部も、このスリーブの収容のために設けられていることは可能である。
【００１７】
シールリップは、有利な方法において、弾性的な合成物質から成っている。シールリップの弾性は、このシールリップの隆起部が、スリーブを、このスリーブがこのスリーブの外周を介して、弾性的にばね作用を行うように（ｅｌａｓｔｉｓｃｈ  ｆｅｄｅｒｎｄ）溝部の内側面に押し付けられる程に、半径方向に予緊張することを生じさせる。このことによって、中空形材とスリーブとの間の、良好な密閉が保証される。
【００１８】
有利には、スリーブのストッパー部は、このスリーブの、半径方向に外方に向いたカラー部である。このカラー部が周囲に延在して形成されている場合、このカラー部は、スリーブと、中空形材の溝部もしくは穿孔部との間の、円周状に延在する接触領域を端部側で密閉し、且つ、従って、スリーブと中空形材との間の密閉作用を増大させる。
【００１９】
スリーブにおけるストッパー部は、しかしながら、必ずしも、中空形材の外側に位置してなく、選択的に、このストッパー部が、同様に、このスリーブの他の長手方向位置においても形成され得、従って、例えば、このスリーブの内側に位置する端部にも形成され得る。
【００２０】
更に、本発明の根底をなす課題は、１つの方法を提示することであり、この方法でもって、測長装置の容易な組み付けが可能とされる。
【００２１】
この課題は、請求項１０に従う方法でもって解決される。
【００２２】
この方法は、以下の方法のステップ、即ち：
−中空形材の提供（ｚｕｒ  Ｖｅｒｆｕｅｇｕｎｇ  ｓｔｅｌｌｅｎ）、この中空形材が、長手方向に延在するスリットを有しており、位置測定の際に、このスリットを通って、前記中空形材内において設けられたスケールを走査する走査ユニットの連行体が貫通差込みする；
−弾性的な密閉材の提供、この密閉材でもって、前記スリットが密閉される；
−閉材の少なくとも１つの端部における、前記スリーブの引張りに強い固定、このスリーブが、前記中空形材の長手方向（＋Ｘ）に作用する軸線方向のストッパー部を有している；
−続いての（ｎａｃｈｆｏｌｇｅｎｄｅｓ）、スリーブのストッパー部が前記中空形材に軸線方向に支持する様式での、この中空形材におけるこのスリーブの位置決め；
の方法のステップを備えている。
【００２３】
本発明の有利な実施形態は、従属請求項内において記載されている構成から与えられる。
【００２４】
本発明の更なる詳細および利点を、実施例の以下の説明に基づいて、図との関連において説明する。
【図面の簡単な説明】
【００２５】
【図１】測長装置の透視図である。
【図２】図１に従う測長装置の長手方向断面図である。
【図３】中空形材における密閉材の固定の領域内における、図１および図２に従う測長装置の長手方向断面図である。
【図４】中空形材における密閉材の固定のためのスリーブの透視図である。
【発明を実施するための形態】
【００２６】
次に、図を参照して本発明の実施例を説明する。
【００２７】
この測長装置は、中空形材１を備えており、この中空形材が、密閉されたスリット１１を有している。位置測定の際に、この中空形材１の内側において、走査ユニットが設けられており、この走査ユニットは、弾性的な密閉材３とスリット１１とを通って貫通案内された（ｈｉｎｄｕｒｃｈｇｅｆｕｅｈｒｔｅｎ）連行体を介して、測定されるべき対象物と固定されている。位置測定のために、この走査ユニットの連行体は、第１の測定されるべき対象物に取り付けられ、且つ、中空形材１が、長手方向Ｘにこの第１の測定されるべき対象物に対して移動可能な第２の測定されるべき対象物に取り付けられる。この長手方向Ｘは、測定方向に相応する。見通しの理由から、図内において、走査ユニットは図示されていない。
【００２８】
中空形材１の内側空間内において、スケール２が、長手方向Ｘに延在して設けられている。このスケール２は、例えば、ガラス、ガラスセラミック、または、鋼である。このスケール２は、同様に、鋼ストリップであることも可能である。このスケール２は、このスケール２の表側に、即ち、走査ユニットへと向いて、且つ、この走査ユニットに向き合って、測定目盛を担持している。この測定目盛は、測定作動状態において、この走査ユニットによって、有利には光電子的に走査され、その際、この走査ユニットから、位置に依存する走査信号が発生される。この測定目盛は、同様に、磁気的、誘導的、または、容量的に走査可能にも構成され得、その際、ここで扱われているのは、インクリメンタルな、または、アブソリュートな測定目盛である。
【００２９】
図１内において図示されているように、密閉材３は、この実施例において、屋根形状に設けられた、２つのシールリップから成っており、これらシールリップのそれぞれが、本発明に従い、中空形材１に固定され、且つ、これらシールリップが、この中空形材１のスリット１１の中心で互いに当接し（ａｎｅｉｎａｎｄｅｒｓｔｏｓｓｅｎ）、且つ、このスリット１１を密閉している。図示されていない方法において、この密閉材３は、同様に、ただ１つの密閉要素だけで形成され得、従って、例えば、このスリット１１が、ただ１つのシールリップの様式の１つの密閉材によって密閉され得る。
【００３０】
密閉材３は、スリーブ４を用いて中空形材１に固定されている。この目的のために、このスリーブ４は、密閉材３と引張りに強い状態で結合されており、且つ、このスリーブが、ストッパー部４１を有している。組み付けられた状態において、このスリーブ４は、長手方向Ｘにおいて端部側でこの中空形材１に支持されており、このことによって、この密閉材３が、スリーブ４を用いてこの中空形材１に固定されている。
【００３１】
密閉材３は、この密閉材３の両方の端部においてこれらスリーブ４の内のそれぞれ１つのスリーブが引張りに強い状態で設けられ且つこれらスリーブ４のストッパー部４１がそれぞれに端部側で密閉材３の緊張のもとで中空形材１に支持されていることによって、長手方向Ｘにおいて、同様に、緊張された状態（ｇｅｓｐａｎｎｔ）、もしくは、伸長された状態で（ｇｅｄｅｈｎｔ）、中空形材１に固定されていることも可能である。
【００３２】
スリーブ４の詳細は、図３および４内において図示されている。このスリーブ４は、少なくとも１つの、内方に向いた突出部４２を有しており、前記突出部が、密閉材３の材料内へと食い込んでいる。この突出部４２が密閉材３内へと食い込まれていることによって、この密閉材３は、弾性的に変形し、且つ、このことによって、密閉材３との、スリーブ４の引張りに強い結合を形成する。密閉材３の材料として、特に、弾性的な合成物質が適している。スリーブ４の材料として、特に、合成物質、または、同様に、金属も適している。
【００３３】
スリーブ４の突出部４２は、有利には、長手方向Ｘに延在する、第１の形状部４２１を有しており、この第１の形状部が、傾斜部を形成しており、この傾斜部が、このスリーブ４を密閉材３に対して長手方向＋Ｘに位置移動することを可能にする。この構成によって、スリーブ４を、密閉材３の上に、所望された位置に至るまで押し込むことが可能にされる。第１の形状部４２１の傾斜角度αは、例えば、約２０°の値である。
【００３４】
スリーブの突出部４２は、有利には、更に、反対の方向に向いた第２の形状部４２２を有しており、この第２の形状部が、抵抗部を形成しており、この抵抗部が、このスリーブ４を密閉材３において（ａｎ  ｄｅｒ  Ｄｉｃｈｔｕｎｇ）反対の方向−Ｘに位置移動することを防止する。この抵抗部は、この密閉材３を、容易な方法で、このスリーブ４において位置決め、および、固定することを可能にする。この第２の形状部４２２の傾斜角度は、この目的のために、第１の形状部４２１よりも大きく、且つ、例えば、約９０°の値である。この密閉材３は、このスリーブ４がこのスリーブ４のストッパー部４１でもって中空形材１に支持することによって、中空形材１に固定される。
【００３５】
スリーブ４が、長手方向Ｘに相互に離間し且つそれぞれに内方に向いた複数の突出部４２を有し、これら突出部が、密閉材３内へと食い込み、且つ、従って、密閉材３との、スリーブ４の引張りに強い結合が形成する場合、有利である。
【００３６】
図３内において図示されているように、スリーブ４は、その内において保持されている密閉材３と共に、中空形材１の、長手方向Ｘに延在する溝部１２内において設けられている。
【００３７】
密閉材３が、長手方向Ｘに延在する隆起部３１、および、この隆起部において突出するリップ状部３２を有する、シールリップである場合、本発明は、特に有利に使用可能である。この場合に、スリーブ４がスリット４５を有する場合、更に有利である。
このスリーブ４、および、スリット４５は、このスリーブ４が隆起部３１を取り囲み且つ密閉材３のリップ状部３２がスリーブ４のスリット４５を通って中空形材１のスリット１１内へと突出するように、寸法を設定されている。このスリットを付けられたスリーブ４は、更に、このスリットを付けられたスリーブが、このスリットを付けられたスリーブの外周面でもって、緊張のもとで溝部１２に適合し、且つ、このことによって、この溝部を、確実に外側に向かって密閉することの、利点を有している。
この密閉材３、および、従って、シールリップが、弾性的な材料から成っているので、このシールリップの隆起部３１は、このスリットを付けられたスリーブを、このスリットを付けられたスリーブが溝部１２内へと挿入された状態においてこのスリットを付けられたスリーブの外周を介して弾性的にばね作用を行うようにこの溝部１２の内側面に押し付けられる程に、半径方向に予緊張する。
【００３８】
密閉材３の、中空形材１内へと整向された更なる延在において、この密閉材は、溝部１２内へとはめ込まれており、従って、隆起部３１が、密閉材３と中空形材１の内側空間との間の密閉部を形成している。
【００３９】
密閉材３と中空形材１との間の密閉部は、スリーブ４のストッパー部４１が、このスリーブ４の、半径方向に外方に向いた、且つ、周囲に延在するカラー部もしくは段差部として形成されていることによって、更に改良され得る。
周囲に延在するこのカラー部は、スリーブ４と中空形材１との間の円周状に延在する接触領域を、端部側で密閉する。この端部側の密閉部は、更に、この中空形材１の両方の端部において、それぞれ１つの、この様式のスリーブ４が設けられており、且つ、密閉材３がこれら両方のスリーブ４を用いて、伸長された状態で、中空形材１に固定されていることによって、改良される。このことによって、軸線方向のストッパー部４１を形成し周囲に延在する、スリーブ４のカラー部は、それぞれに、ばね弾性的に（ｆｅｄｅｒｎｄ）中空形材１に押し付けられる。
【００４０】
以下で、上記された測長装置に基づいて、更により詳細に、この測長装置の組み付けのための方法を説明する。
【００４１】
この方法は、以下の方法のステップ、即ち；
中空形材１の提供、この中空形材が、長手方向に延在するスリット１１を有しており、位置測定の際に、このスリットを通って、この中空形材内において設けられたスケール２を走査する走査ユニットの連行体が貫通差込みする；
弾性的な密閉材３の提供、この密閉材３でもって、このスリット１１が密閉される；
この密閉材３におけるスリーブ４の引張りに強い固定、その際、このスリーブ４が軸線方向のストッパー部４１を有している；
このスリーブ４のストッパー部４１が、端部側で、この中空形材１に軸線方向に支持する様式での、この中空形材１におけるこのスリーブ４の後に続く位置決め；
の方法のステップを備えている。
【００４２】
中空形材１におけるスリーブ４の位置決めは、この中空形材１の端面から、この中空形材１の長手方向に延在する溝部１２内への、このスリーブ４の挿入によって、もしくは、押し込みによって行われる。この中空形材１における、密閉材３の端部側の固定は、このことによって、特に容易に可能である。何故ならば、専ら、端面側のアクセス可能性だけが必要であるからである。
【００４３】
スリーブ４が、図４に従う実施例に相応して形成されている場合、密閉材３とスリーブ４との間の引張りに強い結合は、以下の方法のステップ、即ち；
長手方向＋Ｘへの、即ち、−傾斜部として形成された−第１の形状部４２１に抗しての（ｇｅｇｅｎ）、密閉材３の上へのスリーブ４の押し込み、
の方法のステップによって実施される。
【００４４】
スケール２は、その際、密閉材３の組み付けの以前に、または、この密閉材３の組み付けの後に初めて、スケール２内において設けられ得る。このスケール２が、測定帯状体（Ｍａｓｓｂａｎｄ）である場合、この測定帯状体は、密閉材３の装着の後に初めて、例えば、中空形材１内において設けられた溝部内へのはめ込みによって、中空形材１内へと収納される場合に、有利である。
【００４５】
本発明は、同様に、中空形材１が互いに当接された複数の部分部片から成る測長装置においても、有利に使用可能である。その際、同様に、スケール２が部分部片から成ることも可能である。
その際、しかも、スケール２として、測定帯状体が使用され、この測定帯状体が、中空形材１の全ての部分部片を越えて延在すること、特に、緊張されることは、特別に有利である。この場合には、密閉材３は、これら複数の部分部片を越えて延在し、−例えば、同様に緊張され−、且つ、スリーブ４が、それぞれに、ただ全配設の両方の端部だけにおいて設けられていることは可能である。
【符号の説明】
【００４６】
１    中空形材
２    スケール
３    密閉材
４    スリーブ
１１  スリット
１２  溝部
３１  隆起部
３２  リップ状部
４１  ストッパー部
４２  突出部
４２１  第１の形状部
４２２  第２の形状部
４５  スリット
＋Ｘ  長手方向
−Ｘ  反対方向
【図１】
2018044953.tif 000003
【図２】
2018044953.tif 000004
【図３】
2018044953.tif 000005
【図４】
2018044953.tif 000006
【外国語明細書】
2018044953000001.pdf